(57)【要約】【課題】多様な画像データに透かしを重畳できるとともに文書管理を簡便にする。【解決手段】画像処理装置における透かし処理部は、メモリに格納されている可視透かしパターンを可視透かしパターン読み出し部で読み出し、この読み出した可視透かしパターンに不可視透かし生成部で不可視透かしを描画し、この描画された可視透かしと不可視透かしとが混在した画像データに重畳率を掛け、この重畳率が掛けられた可視・不可視透かし画像データを入力画像データに加算部で加算して透かし重畳画像データを生成する。【選択図】図２
2006262486.tif 000002
【特許請求の範囲】
【請求項１】
可視透かしパターンの画像データを記憶する記憶部と、
この記憶部に記憶されている可視透かしパターンの画像データを読み出す読出部と、
この読出部で読み出された可視透かしパターンの画像データの描画領域に不可視透かし画像を描画する不可視透かし生成部と、
この不可視透かし生成部で不可視透かしが描画された可視・不可視透かし画像データを、入力される画像データに加算する加算部と、
を具備したことを特徴とする画像処理装置。
【請求項２】
画像を入力する画像入力部と、
この画像入力部で入力された画像データに、可視透かしパターンの画像データに不可視透かしが描画された可視・不可視透かし画像データを加算して透かしを処理する透かし処理部と、
この透かし処理部で透かしが処理された画像データに基づいて画像を形成する画像形成部と、
を具備したことを特徴とする画像処理装置。
【請求項３】
画像を入力する画像入力部と、
この画像入力部で入力された画像データを記憶する記憶部と、
前記画像入力部で入力された画像データから可視透かしと不可視透かしとが混在した透かし情報を検出する検出部と、
この検出部の検出結果から前記記憶部に前記入力画像データと同等の画像データもしくは文書データが有るか否かを検索する画像検索部と、
この画像検索部での検索結果に応じて、前記画像入力部から入力された画像データ、または前記記憶部に記憶されている画像データに基づいて画像を形成する画像形成部と、
を具備したことを特徴とする画像形成装置。
【請求項４】
画像を入力する画像入力部と、
この画像入力部で入力された画像データに透かし情報を描画する透かし処理部と、
この透かし処理部で透かし情報が描画された画像データに基づいて画像を形成する画像形成部と、
前記透かし処理部で透かし情報が描画された画像データを電子データとしてファイル化するファイル部と、
このファイル部でファイル化された電子データを表示する表示部と、
を具備したことを特徴とする画像形成装置。
【請求項５】
画像を処理する画像処理装置の画像処理方法であって、
可視透かしパターンの画像データを記憶し、
この記憶されている可視透かしパターンの画像データを読み出し、
この読み出された可視透かしパターンの画像データの描画領域に不可視透かし画像を描画し、
この不可視透かしが描画された可視・不可視透かし画像データを、入力される画像データに加算するようにしたことを特徴とする画像処理方法。
【請求項６】
画像を形成する画像形成装置の画像形成方法であって、
入力される画像データに透かし情報を描画し、
この透かし情報が描画された画像データに基づいて画像を形成し、
前記透かし情報が描画された画像データを電子データとしてファイル化し、
このファイル化された電子データを表示するようにしたことを特徴とする画像形成方法。
【請求項７】
画像を形成する画像形成装置の画像形成方法であって、
画像データを入力し、
この入力された画像データを記憶部に記憶し、
前記入力された画像データから可視透かしと不可視透かしとが混在した透かし情報を検出し、
この検出結果から前記記憶部に前記入力画像データと同等の画像データもしくは文書データが有るか否かを検索し、
この検索結果に応じて、前記入力された画像データ、または前記記憶部に記憶されている画像データに基づいて画像を形成するようにしたことを特徴とする画像形成方法。
【発明の詳細な説明】
【技術分野】
【０００１】
この発明は、可視透かし、不可視透かし等の画像データを処理する画像処理装置と画像形成装置及び方法に関する。
【背景技術】
【０００２】
従来、デジタル技術の発達とともに多くの文書がデジタル化され、その管理が重要な課題となっている。
【０００３】
完全なデジタル画像データであれば、耐性に強い透かしや検索方法といった技術が重要であるが、複写機の様に情報が印字媒体上と電子データという形で、完全にデジタルで閉じない系においてはより工夫が求められている。
【０００４】
例えば、下記に示される技術が開示されている。
【０００５】
特許文献１：特開２００１−２０３８８２号公報
特許文献２：特開２００４−７４６３号公報
特許文献３：特開２００３−２２８５６０号公報
特許文献４：特開２００４−１１８２９６号公報
まず、特許文献１に開示される技術は、誤差拡散の閾値を周期的に変動させ、透かし部分のみその周期性を壊して生成することにより、通常の印字データでは不可視となる。そして、印字データに誤差拡散に用いた周期パターンを重ね合わせることにより、透かし画像を可視化できる技術である。
【０００６】
特許文献２に開示される記述は、コピー出力に、攻撃耐性等の異なる２種類の透かしを埋め込むことで、入力時に原稿がオリジナルかコピーかを判別する技術である。
【０００７】
特許文献３に開示される技術は、構造化電子化文書に異なる情報を、画像等には不可視透かしデータとして、構造データにはＴａｇ等として埋め込む技術である。
【０００８】
特許文献４に開示される技術は、画像入出力装置と文書管理サーバを連携し、入力画像データが文書管理サーバにあるか検索し、原稿があれば入力した画像でなく文書管理サーバ内のデータを印字出力する技術である。
【０００９】
一般に透かしとは、通常、不可視で埋め込んで改竄を防止・検出し、特定の用件を満たす時に可視化する使い方がされるが、近年では、印刷物の場合、最初から可視の状態で透かしを画像に重畳し、特定の機器で出力したことを明示かつ改竄されないようにする使い方もある。不可視透かしでは、管理がデジタル前提となるが、画像に直接描画されている可視透かしであれば、可視透かしを印字した原稿をアナログ複写機でコピーしても引き続き、印字物を直接見れば原本の出力した機器等を特定できる。
【００１０】
しかしながら、上記文献１の方法では、特定の処理をしなければ透かしの有無が判らず、かつ複写文書で大半を占める余白が大きく、殆ど文字で構成される文書には適用が困難であった。また、上記文献２の方法は、種別の異なる透かしを入れてコピーか否かを特定するが、両方とも不可視透かしであり、かつ余白等が多い文書では同様に透かしを適用することが困難であった。
【００１１】
また、上記特許文献３の方法は、２種類の情報の内、一方しか印字データ上には載せることが出来ず複写機に用いるのは困難であった。また、特許文献４は透かしとは異なるが、一旦印字されたデータを文書管理と連携する方法であるが、文書の特定にはＯＣＲ等を用いており、多様な入力原稿に対して精度良く特定することが困難であった。
【特許文献１】特開２００１−２０３８８２号公報
【特許文献２】特開２００４−７４６３号公報
【特許文献３】特開２００３−２２８５６０号公報
【特許文献４】特開２００４−１１８２９６号公報
【発明の開示】
【発明が解決しようとする課題】
【００１２】
この発明の目的は、多様な画像データに透かしを重畳できるとともに文書管理を簡便にすることのできる画像処理装置と画像形成装置及び方法を提供することである。
【課題を解決するための手段】
【００１３】
この発明の画像処理装置は、可視透かしパターンの画像データを記憶する記憶部と、この記憶部に記憶されている可視透かしパターンの画像データを読み出す読出部と、この読出部で読み出された可視透かしパターンの画像データの描画領域に不可視透かし画像を描画する不可視透かし生成部と、この不可視透かし生成部で不可視透かしが描画された可視・不可視透かし画像データを、入力される画像データに加算する加算部とから構成されている。
【００１４】
また、この発明の画像形成装置は、画像を入力する画像入力部と、この画像入力部で入力された画像データを記憶する記憶部と、前記画像入力部で入力された画像データから透かし情報を検出する検出部と、この検出部の検出結果から前記記憶部に前記入力画像データと同等の画像データもしくは文書データが有るか否かを検索する画像検索部と、この画像検索部での検索結果に応じて、前記画像入力部から入力された画像データ、または前記記憶部に記憶されている画像データに基づいて画像を形成する画像形成部とから構成されている。
【発明の効果】
【００１５】
本発明の画像処理装置と画像形成装置は、多様な画像データに透かしを重畳できると共に文書管理を簡便にすることが可能となる。
【発明を実施するための最良の形態】
【００１６】
以下、図面を参照して、この発明の実施の形態について詳細に説明する。
【００１７】
図１は、この発明の第１実施例に係るデジタル複合機（ＭＦＰ：Multi Function Peripheral）の概略構成示すものである。すなわち、デジタル複合機は、画像データを入力するスキャナ１００１、入力された画像データ１０１０に透かしを重畳する透かし処理部１００２、透かしが重畳された画像データ１０１１をプリントするプリンタ１００３、及び全体を制御する制御回路１０００より構成される。透かし処理部１００２以外は、既知のデジタル複合機の構成であるので説明を省略する。
【００１８】
図２は、透かし処理部１００２の概略構成を示すものである。透かし処理部１００２は、メモリ１００２−１、可視透かしパターン読み出し部１００２−２、不可視透かし生成部１００２−３、加算部１００２−８、及び乗算部１００２−９とから構成されている。
【００１９】
メモリ１００２−１は、可視透かしパターン１００２−４が格納されている。
【００２０】
可視透かしパターン読み出し部１００２−２は、メモリ１００２−１から可視透かしパターン１００２−４を読み出す。
【００２１】
不可視透かし生成部１００２−３は、不可視透かしを生成する。
【００２２】
加算部１００２−８は、可視・不可視透かし画像データ１００２−７と入力画像データ１０１０とを加算して透かし重畳画像データ１０１１を生成する。
【００２３】
乗算部１００２−９は、可視透かしと不可視透かしが混在した画像データ１００２−５に、制御回路１０００から供給される重畳率１００２−６を掛けた透かし画像データ１００２−７を出力する。
【００２４】
図３は、生成される画像データの例を示すものである。
【００２５】
図３において、可視透かしパターンは、機体番号「Ｎｏ１２」が画素値２５５で描画されている。不可視透かし生成部１００２−３は、２５５で描画された領域のみ特定のコードに対応する周期的なパターンに変換する。そして、乗算部１００２−９は、制御回路１０００から供給重畳率１／４を乗算することで最終的な可視・不可視透かし画像データ１００２−７を生成する。続いて、加算部１００２−８は、入力画像データ１０１０に最終的な可視・不可視透かし画像データ１００２−７を加算することで、可視・不可視透かしが重畳された画像データ１０１１を生成する。
【００２６】
図４は、不可視透かし生成部１００２−３の構成例を示すものである。不可視透かし生成部１００２−３は、周波数パターン発生器１００２−３−１と乗算器１００２−３−３とから構成されている。不可視透かし生成部１００２−３は、周波数パターン発生器１００２−３−１で特定コードに対応する周波数１００２−３−２を生成し（有効画素１、無効画素０）、乗算器１００２−３−３で可視透かしパターン１００２−４と乗算する。それによって、可視透かしのパターン領域に特定周波数で構成された不可視透かしが重畳される。
【００２７】
以上説明したように上記第１実施例によれば、入力原稿に対して妨害感なく可視透かしにより機体番号を認識でき、余白領域であっても、可視透かし領域に重畳することで不可視透かしを重畳することができる。
【００２８】
なお本実施例では、可視透かし画像データに不可視透かしを重畳し、更に重畳率を掛けた画像データを生成したが、メモリ１００２−１に最初から重畳率を掛けた可視・不可視透かし画像データを用意して、入力画像データに加算するよう構成しても良い。
【００２９】
また、不可視透かしを可視透かし領域にのみ重畳したが、他の有効画像領域（例えば、一般に重畳し易い写真領域など）に合わせて重畳しても良い。
【００３０】
また、透かし画像データの重畳は単純に加算したが、半透明処理といわれる以下の式の様に演算しても良い。
【００３１】
ｉｆ（透かし画素値≠０）
重畳結果＝透かし画素値×α＋原画像画素値×（１−α）
ｉｆ（透かし画素＝０）
重畳結果＝原画像画素値
また、本例では可視透かしを描画したいパターンそのもので直接描画したが、図５に示すような低周波（図では４×４画素を１単位）のパターンで描画し、不可視透かしを重畳するように構成しても良い。
【００３２】
当然ながら可視透かし・不可視透かしの技術は本例に限定されるものではなく、機器の構成も入力装置、出力装置単体でも構成できることは明らかである。
【００３３】
次に、第１実施例の変形例について説明する。
【００３４】
図６は、第１の実施例の変形例としてのカラーデジタル複合機を示すものである。このカラーデジタル複合機は、画像データを入力するカラースキャナ１１０１、入力された画像データ１１１０に透かしを重畳する透かし処理部１１０２、透かしが重畳された画像データ１１１１をプリントするカラープリンタ１１０３、及び全体を制御する制御回路１１００より構成される。透かし処理部１１０２以外は、既知のカラーデジタル複合機の構成であるので説明を省略する。
【００３５】
図７は、透かし処理部１１０２の概略構成を示すものである。透かし処理部１１０２は、メモリ１１０２−１、可視透かしパターン読み出し部１１０２−２、不可視透かし生成部１１０２−３、輝度／色差変換部１１０２−６、加算部１１０２−１１、絶対値算出部１１０２−１３、符号算出部１１０２−１４、加算部１１０２−１９、逆輝度／色差変換部１１０２−２２、乗算部１１０２−２３、乗算部１１０２−２４、及び乗算部１１０２−２５とから構成されている。
【００３６】
なお、可視透かしパターンが格納されているメモリ１１０２−１、メモリ１１０２−１から可視透かしパターン１００２−４を読み出す可視透かしパターン読み出し部１１０２−２、及び不可視透かしを生成する不可視透かし生成部１１０２−３は、第１実施例と同様であるので説明を省略する。
【００３７】
カラー画像データ１１１０は、輝度／色差変換部１１０２−６で輝度信号１１０２−７と色差信号１１０２−８に分離される。
【００３８】
輝度信号１１０２−７には、可視透かしパターン１００２−４に制御回路１１００から供給された輝度重畳率１１０２−９をかけた可視透かし画像データ１１０２−１０が加算部１１０２−１１で加算される。その結果、可視透かしが重畳された輝度信号１１０２−１２が生成される。
【００３９】
色差信号１１０２−８に対しては、絶対値算出部１１０２−１３で色差の絶対値１１０２−１５と、符号算出部１１０２−１４で符号１１０２−１６が生成される。
【００４０】
不可視透かし生成部１１０２−３からの不可視透かし画像データ１１０２−５には、乗算部１１０２−２３で、制御回路１１００から供給された色差重畳率１１０２−１７がかけられる。その結果、不可視透かし画像データ１１０２−１８が生成される。
【００４１】
加算部１１０２−１９は、不可視透かし画像データ１１０２−１８と色差の絶対値１１０２−１５とを加算して信号１１０２−２０を出力する。乗算部１１０２−２５は、符号１１０２−１６に信号１１０２−２０をかけて不可視透かしが重畳された色差信号１１０２−２１を生成する。
【００４２】
そして、逆輝度／色差変換部１１０２−２２は、可視透かしが重畳された輝度信号１１０２−１２と、不可視透かしが重畳された色差信号１１０２−２１とを逆変換して可視・不可視透かしが重畳された画像データ１１１１を生成する。なお、色差信号は２信号生成されるが、説明の簡便のため１信号で記述した。
【００４３】
以上説明したように上記第１実施例の変形例によれば、不可視透かし情報が、より知覚され難い色差画像データに重畳されるので出力画像データの品質が向上する。
【００４４】
また、本実施例では可視透かし画像データを単純にパターンで説明したが、可視透かし画像データをカラーで生成すれば、殆どモノクロで構成された原稿に対しても、不可視透かしを重畳し易くなるのは明らかである。
【００４５】
また、輝度と色差で可視・不可視透かしを別々に重畳したが、色差信号にのみ可視・不可視透かし双方を重畳すれば、可視透かしの原稿に与える妨害感を低減した画像データを得ることが出来る。
【００４６】
また、シアン、マゼンタ、イエロー（ＣＭＹ）、もしくはシアン、マゼンタ、イエロー、ブラック（ＣＭＹＫ）で印字するカラープリンタ画像データに対しては、同様に知覚され難いイエロー信号に可視・不可視透かし双方を重畳する構成を取ることも可能である。
【００４７】
次に、第２実施例について説明する。
【００４８】
図８は、第２実施例としてのデジタル複合機を示すものである。このデジタル複合機は、画像データを入力するスキャナ２００１、入力画像データ２００７から情報２００８を抽出する情報抽出部２００２、抽出された情報２００８を元に画像をハードディスク装置（ＨＤＤ）２００４より検索する画像検索部２００３、入力画像データ２００７及び検索された画像データ２０１０を格納するメモリ２００５、入力画像データもしくは検索画像データを印字するプリンタ２００６、及び全体を制御する制御回路２０００より構成されている。情報抽出部２００２以外は、既知のデジタル複合機の構成であるので説明を省略する。
【００４９】
図９は、情報抽出部２００２の概略構成を示すものである。情報抽出部２００２は、可視透かしパターンメモリ２００２−１、周波数分析器２００２−２、画像ＩＤＴＢＬ２００２−３、及び乗算部２００２−７とから構成されている。
【００５０】
まず、乗算部２００２−７は、可視透かしパターンメモリ２００２−１より読み出された可視透かしパターン２００２−４と入力画像データ２００７とを乗算する。既知の周波数分析器２００２−２は、乗算結果としての画像データ２００２−５を分析し、分析結果としての抽出周波数パターン２００２−６を画像データＩＤ−ＴＢＬ２００２−３で検索し、検索結果としての抽出情報２００８を出力する。
【００５１】
図１０は、上述した動作の概要を示すものである。
【００５２】
まず、図１０の（Ａ）は、可視・不可視透かしが重畳された原稿の入力画像データ２００７である。この場合、可視透かしパターン２００２−４と乗算することで可視透かし領域だけになった画像データ２００２−５が生成される。これには、入力画像データのパターンも含まれるが、不可視透かし画像データの情報が多いため周波数分析器２００２−２で特定の周波数２００２−６を抽出し易く、画像データＩＤ（例えば、ＡＤ００１）が高精度、高速に出力される。
【００５３】
図１０の（Ｂ）は、可視・不可視透かしが重畳されていない原稿の入力画像データ２００７である。この場合、可視透かしパターン領域の入力原稿パターンのみ画像データ２００２−５として生成される。周波数分析器２００２−２で周波数を特定できないため、画像データＩＤ無しという情報が出力される。
【００５４】
上述した図１０の（Ａ）の場合は、ＨＤＤ２００４より画像データＩＤの画像データがメモリ２００５に読み込まれ、プリンタ２００６で出力される。
【００５５】
上述した図１０の（Ｂ）の場合は、画像データＩＤが無いため、入力画像データ２００７がそのままメモリ２００５より読み出され、プリンタ２００６で出力される。
【００５６】
以上説明したように上記第２実施例によれば、可視・不可視透かしを重畳した画像データを用いて画像データ検索を行うことで、不可視透かし領域を容易に判別でき、高速、高精度に画像データを検索することができる。
【００５７】
また、本実施例での可視透かし・不可視透かしは、画像データ検索システムと連動して用いることで利便性を高めている。可視透かしの情報は機体番号等、文書画像データ等よりはるかに少数パターン、不可視透かしには画像データＩＤ等多様に存在する情報を使用することで、システム全体としても高速に検索できる。
【００５８】
さらに、画像入出力機器は、一般に、設置場所が大きく変更されることが少なく、課や部等のあるグループ単位で使われることが多い。そのため、可視透かしのパターン検索時に機器番号を特定できれば、その情報も加えて画像データＩＤを検索すれば、より高速、高精度になる。
【００５９】
また、本実施例では特に情報を暗号化していないが、可視・不可視透かし情報の双方を暗号化して埋め込んだり、可視透かしは非暗号化で、不可視透かしは暗号化して埋め込むことも可能である。後者の場合、意図的に公開する情報と非公開にする情報とを使い分けることで、アナログ的な管理（例えば、個人ファイリング等の印字出力物そのものや、単純個人ディレクトリ内管理）と、デジタル的な管理（部署単位等の大規模データベース等の電子ファイル管理）で管理情報レベルを使い分けることができる。
【００６０】
本実施例では単純に可視透かし画像データを乗算しただけだが、システムとして入力され得る可視透かしパターンが複数ある場合は、個々の可視透かしパターン毎に乗算の一致度を求めたり、不可視透かしの抽出度で弁別する等システムに合わせて最適化すれば良い。可視・不可視透かしの情報抽出方法は、本実施例に限定されない。
【００６１】
また、可視・不可視透かしに別々の情報を印加した例を示したが、双方同じであってもよく、抽出精度等が従来より向上する。
【００６２】
次に、第３実施例について説明する。
【００６３】
図１１は、第３実施例としてのデジタル複合機を示すものである。このデジタル複合機は、画像データを入力するスキャナ３００１、入力画像データ３００７に透かし処理する透かし処理部３００２、透かし処理画像データ３００８を印字するプリンタ３００３、データを格納するメモリ３００４、メモリ３００４に格納されたデータをファイル化するファイル部３００５、ファイルデータ３００９を画像表示するディスプレイ３００６、及び全体を制御する制御回路３０００より構成されている。透かし処理部３００２以外は、既知のデジタル複合機の構成であるので説明を省略する。
【００６４】
図１２は、透かし処理部３００２の概略構成を示すものである。透かし処理部３００２は、プリンタ視覚特性部３００２−１、ディスプレイ視覚特性部３００２−２、透かし重畳率算出部３００２−３、可視透かしパターン部３００２−４、セレクタ３００２−６、及び乗算部３００２−８とから構成されている。
【００６５】
透かし処理部３００２の透かし重畳率算出部３００２−３は、プリンタ視覚特性部３００２−１、ディスプレイ視覚特性部３００２−２より透かし重畳率３００２−７を算出する。
【００６６】
乗算部３００２−８は、透かし重畳率３００２−７と、可視透かしパターン３００２−４からの可視透かしパターンとを乗算し、可視透かし画像データ３００２−５を算出する。
【００６７】
セレクタ３００２−６は、入力画素値が０（即ち白）なら可視透かし画像データ３００２−５を選択し、入力画素値が非０なら入力画像データ３００７選択し、透かし処理画像データ３００８として出力する。
【００６８】
つまり、入力画像データの白領域にのみ可視透かし画像データが描画される。
【００６９】
一般にディスプレイは、安定に高分解能で表示できるため１画素の情報を、例えば、１画素を２５６値でそのまま描画するが、プリンタは、ディスプレイ程分解能が無く、安定に印字できないため数画素単位でまとめた画素値を１単位として描画している。しかも、ディスプレイは濃度変調であり、１画点単位で実際にその画点濃度が変化するが、プリンタは面積変調であるため画点を形成するトナーやインクは紙上のＯＮ／ＯＦＦ再現となる。
【００７０】
そのため、一般に、プリンタ＞ディスプレイというデバイス解像度の関係にあり、解像度は異なるが、単位面積辺りの濃度は一致するように再現される。しかしながら、異なる表示デバイスであるため、白（白紙・ディスプレイ白）に対するコントラスト等人間の感じる特性に差が有る。
【００７１】
例えば、全面２０レベル程度（白を０とする）の画像データをディスプレイ表示しても、単なる白としか見えないが、プリンタで印字するとノイズが載った様な印象を受ける。これは、上述したようにディスプレイは濃度変調のため、あくまで全面２０レベルで表示され、人間の知覚が相対的であるため白か若干かぶった白か弁別できない。それに対して、プリンタは面積階調であるため、一定の間隔でトナーの塊を紙に載せるので、紙の白とトナー領域（必ずしも個々の領域を弁別できるとは限らないが）を知覚し、ノイジーな印象を受ける。
【００７２】
そこで、ディスプレイ視覚特性３００２−２とプリンタ視覚特性３００２−１から白領域にディスプレイでは白と相対的に知覚し難い、印字上は知覚できるレベル値を求め、透かし重畳率３００２−７を算出する。
【００７３】
透かし重畳率算出部３００２−３は、例えば、ディスプレイ視覚特性で白と弁別可能値が２０以上、プリンタ視覚特性が同様に１０以上の時、
透かし重畳率＝（（ディスプレイ弁別閾値−プリンタ弁別閾値）÷２＋プリンタ弁別閾値）÷２５５＝（（２０−１０）÷２＋１０）÷２５５≠６％
を算出する。
【００７４】
図１３は、透かし重畳率を元に描画したイメージを示すものである。図１３において、入力画像に透かし画像を上記算出した透かし重畳率で重畳する。その結果、プリンタ印字では、拡大図に示すように同じ濃度だが間隔と大きさが違うので知覚できる。また、ディスプレイ表示では、拡大図に示すように濃度が薄いため背景（白）と弁別できないため知覚できない。
【００７５】
以上説明したように上記第３実施例によれば、特性に基づく濃度の透かしを画像データに直接描画するだけで、印字と表示で特別に透かし重畳有無を切り替えること無しに、他方では透かしを見せ、他方では透かしを知覚させないシステムを構成できる。例えば、ディスプレイ上では閲覧自由だが、印刷は透かし知覚により心理的に抑えて管理することも可能である。
【００７６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００７７】
【図１】第１実施例に係るデジタル複合機の概略構成示す図。
【図２】透かし処理部の概略構成を示すブロック図。
【図３】生成される画像データの例を示す図。
【図４】不可視透かし生成部の構成例を示す図。
【図５】可視透かしの構成例を示す図。
【図６】第１の実施例の変形例としてのカラーデジタル複合機を示す図。
【図７】透かし処理部の概略構成を示すブロック図。
【図８】第２実施例としてのデジタル複合機を示す図。
【図９】情報抽出部の概略構成を示す図。
【図１０】情報抽出動作の概要を示す図。
【図１１】第３実施例としてのデジタル複合機を示す図。
【図１２】透かし処理部の概略構成を示すブロック図。
【図１３】透かし重畳率を元に描画したイメージを示す図。
【符号の説明】
【００７８】
１０００…制御回路、１００１…スキャナ、１００２…透かし処理部、１００２−１…メモリ、１００２−２…可視透かしパターン読み出し部、１００２−３…不可視透かし生成部、１００２−８…加算部、１００２−９…乗算部、１００３…プリンタ。
【図１】
2006262486.tif 000003
【図２】
2006262486.tif 000004
【図３】
2006262486.tif 000005
【図４】
2006262486.tif 000006
【図５】
2006262486.tif 000007
【図６】
2006262486.tif 000008
【図７】
2006262486.tif 000009
【図８】
2006262486.tif 000010
【図９】
2006262486.tif 000011
【図１０】
2006262486.tif 000012
【図１１】
2006262486.tif 000013
【図１２】
2006262486.tif 000014
【図１３】
2006262486.tif 000015